(57)【要約】【課題】油汚れを効果的に除去して、効率良く洗浄を行う。【解決手段】加熱手段８および洗浄ポンプ５を制御して洗浄工程およびすすぎ工程を実行する制御手段１２を備え、前記制御手段１２は、前記加熱手段８により洗浄水を第１の設定温度に加熱して実行する洗浄工程に続いて、洗浄工程での洗浄水より高い第２の設定温度に加熱して加熱すすぎ工程を実行するようにしたものである。【選択図】図１
2009261832.tif 000002
【特許請求の範囲】
【請求項１】
食器等の被洗浄物を収容する洗浄槽と、前記洗浄槽に洗浄水を供給する給水手段と、前記洗浄槽内の洗浄水を機外へ排出する排水手段と、前記洗浄槽に供給された洗浄水を加熱する加熱手段と、前記洗浄槽内の洗浄水を加圧する洗浄ポンプと、前記洗浄ポンプで加圧された洗浄水を前記洗浄槽内に噴射する洗浄ノズルと、前記加熱手段および前記洗浄ポンプを制御して洗浄工程およびすすぎ工程を実行する制御手段とを備え、前記制御手段は、前記加熱手段により洗浄水を第１の設定温度に加熱して実行する洗浄工程に続いて、洗浄工程での洗浄水より高い第２の設定温度に加熱して加熱すすぎ工程を実行するようにした食器洗い機。
【請求項２】
制御手段は、加熱すすぎ工程で洗浄槽に洗浄水を供給後、洗浄工程での第１の設定温度に到達してから洗浄ポンプを駆動して洗浄水を噴射し、洗浄水を第２の設定温度に上昇させるようにした請求項１記載の食器洗い機。
【請求項３】
制御手段は、加熱すすぎ工程で洗浄槽に洗浄水を供給後、洗浄水が第２の設定温度に到達してから洗浄ポンプを駆動して洗浄水を噴射するようにした請求項１記載の食器洗い機。
【発明の詳細な説明】
【技術分野】
【０００１】
本発明は、洗浄槽内に収容した食器類を洗浄する食器洗い機に関するものである。
【背景技術】
【０００２】
従来、この種の食器洗い機は、食器類を収容した洗浄槽に給水源から水を供給してこの洗浄槽の底部に水を貯留し、その水を洗浄ポンプにより加圧して洗浄ノズルへと圧送し、洗浄ノズルに設けた噴射穴から食器類に水を噴射することによって食器類の汚れを洗い落とす構成となっている。食器類や洗浄槽内壁に当たった水は洗浄槽の底部に戻り、フィルタによって残菜等が除去された後に再び洗浄ポンプにより加圧される、というように循環する。このような食器洗い機では、洗浄工程において洗浄水を加熱して次第にその温度を上昇させて、加熱洗浄を行うものや、加熱洗浄を行った後すすぎを行い、すすぎの後に加熱すすぎを行うものがある（例えば、特許文献１参照）。
【特許文献１】特開２０００−２５４０８０号公報
【発明の開示】
【発明が解決しようとする課題】
【０００３】
しかしながら、前記従来の構成では、加熱すすぎまでに汚れが十分取れなかったり、最後の加熱すすぎになってようやく汚れが取れたりすることがあるという課題があった。特に、油分による汚れを効果的に除去するためには、洗浄水の温度を十分に高くする必要がある。
【０００４】
しかしながら、洗浄水の温度を油脂汚れが除去できるまで高温に加熱すると、洗剤による食器へのダメージが生じるという問題があった。また、除去された油脂汚れが食器に再付着するという問題があった。すなわち、再付着した油分の汚れは、一旦温度が下がると固形化し、再度温度を上げてもなかなか除去しにくいという課題があった。
【０００５】
本発明は、前記従来の課題を解決するもので、油汚れを効果的に除去して、効率良く洗浄を行うことを目的とする。
【課題を解決するための手段】
【０００６】
前記従来の課題を解決するために、本発明の食器洗い機は、加熱手段および洗浄ポンプを制御して洗浄工程およびすすぎ工程を実行する制御手段とを備え、前記制御手段は、前記加熱手段により洗浄水を第１の設定温度に加熱して実行する洗浄工程に続いて、洗浄工程での洗浄水より高い第２の設定温度に加熱して加熱すすぎ工程を実行するようにしたものである。
【０００７】
これによって、加熱洗浄に続いて、この加熱洗浄より高い温度で加熱すすぎを行い、油分の汚れをきれいに除去することができるので、食器に付着した汚れを完全に除去することができる。
【発明の効果】
【０００８】
本発明の食器洗い機は、油分の汚れをきれいに除去することができ、食器へのダメージや、汚れの再付着がなく効率良く洗浄でき、利便性を向上することができる。
【発明を実施するための最良の形態】
【０００９】
第１の発明は、食器等の被洗浄物を収容する洗浄槽と、前記洗浄槽に洗浄水を供給する給水手段と、前記洗浄槽内の洗浄水を機外へ排出する排水手段と、前記洗浄槽に供給され
た洗浄水を加熱する加熱手段と、前記洗浄槽内の洗浄水を加圧する洗浄ポンプと、前記洗浄ポンプで加圧された洗浄水を前記洗浄槽内に噴射する洗浄ノズルと、前記加熱手段および前記洗浄ポンプを制御して洗浄工程およびすすぎ工程を実行する制御手段とを備え、前記制御手段は、前記加熱手段により洗浄水を第１の設定温度に加熱して実行する洗浄工程に続いて、洗浄工程での洗浄水より高い第２の設定温度に加熱して加熱すすぎ工程を実行するようにしたことにより、油分の汚れをきれいに除去することができ、食器へのダメージや、汚れの再付着がなく効率良く洗浄でき、利便性を向上することができる。
【００１０】
第２の発明は、特に、第１の発明の制御手段は、加熱すすぎ工程で洗浄槽に洗浄水を供給後、洗浄工程での第１の設定温度に到達してから洗浄ポンプを駆動して洗浄水を噴射し、洗浄水を第２の設定温度に上昇させるようにしたことにより、加熱すすぎを行う時に、あらかじめすすぎ水の温度を洗浄時の温度に加熱してからポンプを動作させ、その後洗浄時の温度より高くして加熱すすぎを行うので、油分の再付着の固形化を防止することができ、汚れを十分に落とすことができ、食器に対してダメージの無い、最適状態での洗浄ができ、食器洗い機の利便性、信頼性を確実に向上させることができるものである。
【００１１】
第３の発明は、特に、第１の発明の制御手段は、加熱すすぎ工程で洗浄槽に洗浄水を供給後、洗浄水が第２の設定温度に到達してから洗浄ポンプを駆動して洗浄水を噴射するようにしたことにより、加熱すすぎを行う時に、あらかじめすすぎ水の温度を洗浄の時の温度より高い温度に加熱してから、ポンプを動作させて加熱すすぎを行うので、油分の再付着の固形化を防止することができ、汚れを十分に落とすことができ、食器に対してダメージのない、最適状態での洗浄ができ、食器洗い機の利便性、信頼性を確実に向上させることができるものである。
【００１２】
また、食器洗い機の運転方法において、加熱洗浄を行い、排水後すぐに加熱洗浄温度より高い温度で加熱すすぎを行い、その後すすぎ工程に入る、前記食器洗い機を制御する洗浄・すすぎ工程とを少なくとも一部をコンピュータに実行させるためのプログラムを提供するものである。
【００１３】
そして、これら制御方法はプログラムであるので、電気・情報機器、コンピュータ、サーバ等のハードリソースを協働させて、本発明の食器洗い機の運転方法の少なくとも一部を容易に実現することができる。また、記録媒体に記録したり通信回線を用いてプログラムを配信したりすることで、プログラムの配布・更新や、そのインストール作業が簡単にできる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における食器洗い機を、前後方向に沿った鉛直面で切断したときの断面を右側から見た時の概略構成模式図を示すものである。
【００１６】
図１において、１は被洗浄物である食器２等を収納する食器カゴ、３は食器カゴ１を収納する洗浄槽、４は洗浄ポンプ５によって加圧された洗浄水を食器２等に噴射する洗浄ノズルである。６は洗浄槽３に水を入れるための給水手段、７は洗浄槽３内の水を機外へ排出する排水手段である。
【００１７】
洗浄槽３内の下部には、洗浄手段を構成する洗浄ノズル４が配設されている。この洗浄ノズル４は、洗浄槽３の下方に配設された洗浄ポンプ５により加圧された洗浄水を上方に向けて噴射する構成となっている。洗浄槽３内の底部には、洗浄ノズル４の下方に位置さ
せて加熱手段８としてのヒータが配設されている。ヒータ８は、印加電圧により発熱量を制御可能なものを用いる。洗浄槽３内において、洗浄ノズル４の上方に位置させて、食器載置体を構成する食器カゴ１が出し入れ可能に収容されている。この食器カゴ１に、被洗浄物である食器類２が載置されるようになっている。
【００１８】
洗浄ポンプ５の吐出口は横方向に延在して配設された通水路９を介して洗浄ノズル４および図示しない他のノズルアームの水路に連通している。一方、図示していないが、排水手段７の吸入口は洗浄ポンプ５の側壁に設けられた排水口に接続され、排水手段７の吐出口は排水ホース１０を介して機外に連通している。
【００１９】
すなわち、洗浄槽３の底部に水が貯留され、ヒータ８で加熱された状態で洗浄ポンプ５が正転方向に回転駆動されると、循環口を通して吸い込んだ水を通水路９を介して洗浄ノズル４へと圧送され、洗浄ノズル４の上面に設けられた噴射穴から水が噴出し、その水勢によって洗浄ノズル４は垂直な軸を中心に所定方向に回転する。噴射穴から噴射された水は洗浄槽３内に収容されている食器類２に当たり、食器類に付着している汚れを落としたり洗剤水を流したりする。一方、洗浄ポンプ５が逆転方向に回転駆動されると、洗浄ポンプ５は排水口を通して吸い込んだ水を排水手段７の排水ホース１０を通して機外へと排出する。
【００２０】
また、洗浄ポンプ５を経由して洗浄ノズル４から噴出する水は、図示していないが、一部分岐されて通水路９を経由して洗浄槽３の側面や上面から洗浄槽３内に給水される。
【００２１】
本発明は、ビルトイン型の食器洗い機のほか、卓上型の食器洗い機でもよく、また、乾燥手段がある食器洗い乾燥機にも適用できる。
【００２２】
図１に示された食器洗い機において、本発明の動作について図面を参照しながら説明する。図２は、同実施の形態に係る食器洗い機の標準工程の処理手順を示すフローチャートを示すものである。また、図３は、同実施の形態に係る食器洗い機の洗浄・すすぎ工程の処理手順を示すフローチャートを示すものである。以下に本実施の形態におけるフローを説明する。
【００２３】
図２において、洗浄工程を２段に分けて、第１の洗浄工程（ステップＳ１）と第２の洗浄工程（ステップＳ２）とする。次に、すすぎ工程として、第１のすすぎ工程（ステップＳ３）と第２のすすぎ工程（ステップＳ４）として、必要に応じて第３のすすぎ工程（ステップＳ５）を加える。最後に乾燥工程（ステップＳ６）を入れて終了となる。食器洗い機の運転は、制御手段１２によって洗浄ポンプ５、給水手段６、排水手段７、加熱手段８等が制御され、上記各工程を逐次制御する。
【００２４】
汚れの付着した食器類２を入れた食器ガゴ１を洗浄槽３の内部に収納する。食器が収納されると、開閉部１１を奥に入れて洗浄槽３を閉じる。使用者によって運転入りのボタンが押下されると、食器洗い機の運転が開始され、まず、水だけの洗浄である予洗い運転を開始するため、給水手段６により洗浄槽３に水を４〜５リットル供給する（ステップＳ１１）。予洗い運転を開始するため、洗浄ポンプ５が作動し、洗浄水が洗浄槽３内を１〜５分程度循環する（ステップＳ１２）。しばらく第１の洗浄工程を行った後、ある程度食器に付着していた汚れが取れると、洗浄ポンプ５の動作を停止する。その後、洗浄ポンプ５を逆方向に動作させることによって、この第１の洗浄工程における汚れた洗浄水を排水する（ステップＳ１３）。
【００２５】
次に、第２の洗浄工程として、給水手段６によって洗浄槽３に再度水を４〜５リットル供給する（ステップＳ１４）。洗浄運転を開始するため、洗剤自動投入手段（図示せず）
を用いて洗剤を計量し、洗浄槽３内に洗剤を投入する。その後、洗浄ポンプ５が作動を開始し、洗浄水が洗浄槽３内を５〜１０分程度循環し、加熱手段８を用いて洗浄水の温度を第１の設定温度、例えば６０℃になるように動作させ、本洗浄を行う（ステップＳ１５）。しばらく第２の洗浄工程を行った後、洗浄ポンプ５を停止する。その後、洗浄ポンプ５を逆方向に動作させることによって、この第２の洗浄工程における汚れた洗浄水を排水する（ステップＳ１６）。以上により、洗浄工程を終了する。
【００２６】
次に、第１のすすぎ工程として、給水手段６によって洗浄槽３に再度水を４〜５リットル供給する（ステップＳ１７）。すすぎ運転を開始するため、まず、加熱手段８を用いて洗浄水の温度を第１の設定温度より高い第２の設定温度、例えば７０℃になるように動作させ、洗浄ポンプ５が作動を開始し、すすぎ水が洗浄槽３内を１〜５分程度循環し、加熱すすぎを行う（ステップＳ１８）。しばらく第１のすすぎ工程を行った後、洗浄ポンプ５を停止する。その後、洗浄ポンプ５を逆方向に動作させることによって、この第１のすすぎ工程における汚れたすすぎ水を排水する（ステップＳ１９）。
【００２７】
次に、第２のすすぎ工程として、通常のすすぎを行う（ステップＳ２０）。必要であれば第３のすすぎ工程も行う。以上により、すすぎ工程を終了する。すなわち、ステップＳ１は予洗、ステップＳ２は本洗浄で加熱洗浄、ステップＳ３は加熱すすぎ、ステップＳ４は通常のすすぎである。
【００２８】
図４は、図３で示したプロセスフロー時における各工程での洗浄水の温度変化を示すものである。このようにすることによって、予洗（第１の洗浄工程）後、洗剤を自動投入して、本洗浄時に排水せずに６０℃程度まで加熱して加熱洗浄（第２の洗浄工程）を行い、洗浄が終了して排水後すぐに加熱洗浄より高い温度、例えば７０℃で加熱すすぎ（第１のすすぎ工程）を行い、油分の汚れをきれいに取って、それからすすぎ工程（第２のすすぎ工程）に入ることができる。
【００２９】
加熱洗浄時、洗剤と７０℃以上の高温では、プラスチック食器等へのダメージが大きいが、洗剤の無いすすぎ時に洗浄温度より高くすることによって、ダメージフリーで汚れを良く落とすことができる。
【００３０】
また、再付着した油分の汚れは、一旦温度が下がると固形化し、再度温度を上げてもなかなか除去しにくいが、本実施の形態では、加熱洗浄後に温度を下げることなく加熱すすぎを行い、この時のすすぎ温度が洗浄温度より高いので、油汚れを非常に良く落とすことができる。
【００３１】
以上のような構成とすることにより、本発明の実施の形態１によれば、洗剤を投入して洗浄を行い、さらに加熱して加熱洗浄を行い、洗浄が終了して排水後すぐに加熱洗浄より高い温度で加熱すすぎを行い、油分の汚れをきれいに取って、それからすすぎ工程に入ることができるので、汚れを十分に落とすことができ、再付着の汚れの無い、食器に対してダメージの無い、最適状態での洗浄ができ、食器洗い機の利便性、信頼性を確実に向上させることができるものである。
【００３２】
（実施の形態２）
次に、本発明の実施の形態２の食器洗い機の動作について、図面を参照しながら説明する。図５は、実施の形態２に係る食器洗い機の洗浄・すすぎ工程の処理手順を示すフローチャートを示すものである。なお、食器洗い機の構成は、図１に示された実施の形態１と同じであり、説明を省略する。
【００３３】
汚れの付着した食器類２を食器ガゴ１に入れて洗浄槽３内に収容する。食器２が収納さ
れると、食器洗い機の開閉部１１を奥に入れて洗浄槽３を閉じる。使用者によって運転入りのボタンが押下されると、食器洗い機の運転が開始され、洗浄工程が始まる。洗浄工程（ステップＳ１１〜Ｓ１６）は図３と同様である。
【００３４】
洗浄工程終了後、第１のすすぎ工程として、給水手段６によって洗浄槽３に再度水を４〜５リットル供給する（ステップＳ２５）。給水された後、すすぎ運転を開始する前に、まず加熱手段８を用いて洗浄水の温度を第１の設定温度、例えば６０℃になるようにヒータを動作させ、温度を上げる（ステップＳ２６）。設定温度までになったら、洗浄ポンプ５が作動を開始し、すすぎ水が洗浄槽３内を１〜５分程度循環し、加熱すすぎを行う（ステップＳ２７）。しばらく第１のすすぎ工程を行い、第１の設定温度より高い第２の設定温度、例えば７０℃になった後、洗浄ポンプ５を停止する（ステップＳ２８）。その後、洗浄ポンプ５を逆方向に動作させることによって、この第１のすすぎ工程における汚れたすすぎ水を排水する（ステップＳ２９）。
【００３５】
次に、第２のすすぎ工程として、通常のすすぎを行う（ステップＳ３０）。必要であれば第３のすすぎ工程も行う。以上により、すすぎ工程を終了する。
【００３６】
図６は、図５で示したプロセスフロー時における各工程での洗浄水の温度変化を示すものである。このようなプロセスフローを行うことによって、予洗後、洗剤を自動投入し、本洗浄時に排水せずに６０℃程度まで加熱して加熱洗浄を行い、洗浄が終了して排水後すぐに加熱洗浄より高い温度、例えば７０℃で加熱すすぎを行い、油分の汚れをきれいに取って、それからすすぎ工程に入ることができる。
【００３７】
加熱洗浄時、洗剤と７０℃以上の高温では、プラスチック食器等へのダメージが大きいが、洗剤の無いすすぎ時に洗浄温度より高くすることによって、ダメージフリーで汚れを良く落とすことができる。
【００３８】
また、再付着した油分の汚れは、一旦温度が下がると固形化し、再度温度を上げてもなかなか除去しにくいが、本実施の形態では、加熱洗浄後に温度を下げることなく、加熱洗浄時の温度になるまでヒータ８を動作させ、その後ポンプ５を動作させて加熱すすぎを行い、この時のすすぎ温度が洗浄温度より高いので、油汚れを非常に良く落とすことができる。
【００３９】
以上のような構成とすることにより、本発明の実施の形態によれば、加熱すすぎを行う時に、あらかじめすすぎ水の温度を加熱洗浄時の温度に加熱してポンプを動作させ、その後、加熱洗浄時の温度より高くして加熱すすぎを行うので、油分の再付着の固形化を防止することができ、汚れを十分に落とすことができ、食器に対してダメージの無い、最適状態での洗浄ができ、食器洗い機の利便性、信頼性を確実に向上させることができるものである。
【００４０】
（実施の形態３）
次に、本発明の実施の形態３の食器洗い機の動作について、図面を参照しながら説明する。図７は、実施の形態３に係る工程の洗浄水の温度変化を示したものである。なお、食器洗い機の構成は、図１に示された実施の形態１と同じであり、説明を省略する。
【００４１】
汚れの付着した食器類２を食器ガゴ１に入れて洗浄槽３内に収容する。食器２が収納されると、食器洗い機の開閉部１１を奥に入れて洗浄槽３を閉じる。使用者によって運転入りのボタンが押下されると、食器洗い機の運転が開始され、洗浄工程が始まる。洗浄工程（ステップＳ１１〜Ｓ１６）は図３と同様である。
【００４２】
洗浄工程終了後、第１のすすぎ工程として、給水手段６によって洗浄槽３に再度水を４〜５リットル供給する。給水された後、すすぎ運転を開始する前に、まず、加熱手段８を用いて洗浄水の温度を第１の設定温度より高い第２の設定温度、例えば７０℃になるようにヒータを動作させ、温度を上げる。
【００４３】
設定温度になると、洗浄ポンプ５が作動を開始し、すすぎ水が洗浄槽３内を１〜５分程度循環し、加熱すすぎを行う。しばらく第１のすすぎ工程を行った後、洗浄ポンプ５を停止する。その後、洗浄ポンプ５を逆方向に動作させることによって、この第１のすすぎ工程における汚れたすすぎ水を排水する。
【００４４】
次に、第２のすすぎ工程として、通常のすすぎを行う。必要であれば第３のすすぎ工程も行う。以上により、すすぎ工程を終了する。
【００４５】
図７に示すように、第２の洗浄工程で一旦高くなった温度は、洗浄水を入れ替えることによって一旦低くなるが、洗浄槽３に溜まった水をヒータ８で加熱して、第１の設定温度よりも高い第２の設定温度になるようにし、工程中最も高い温度である第２の設定温度になったら洗浄ポンプ５を動作させ、加熱すすぎを行う。この加熱すすぎ工程で最も高い温度に到達することによって、すすぎ時に全ての汚れを除去することができる。
【００４６】
このようなプロセスフローを行うことによって、予洗後、洗剤を自動投入し、本洗浄時に排水せずに６０℃程度まで加熱して加熱洗浄を行い、加熱洗浄が終了して排水後すぐに加熱洗浄より高い温度、例えば７０℃で加熱すすぎを行い、油分の汚れをきれいに取って、それからすすぎ工程に入ることができる。
【００４７】
洗浄時、洗剤と７０℃以上の高温では、プラスチック食器等へのダメージが大きいが、洗剤の無いすすぎ時に洗浄温度より高くすることによって、ダメージフリーで汚れを良く落とすことができる。
【００４８】
また、再付着した油分の汚れは、一旦温度が下がると固形化し、再度温度を上げてもなかなか除去しにくいが、本実施の形態では、加熱洗浄後に温度を下げることなく、加熱洗浄の温度よりも高いすすぎ温度になるまでヒータを動作させ、その後洗浄ポンプ５を動作させ加熱すすぎを行い、この時のすすぎ温度が加熱洗浄温度より高いので、油汚れを非常に良く落とすことができる。
【００４９】
以上のような構成とすることにより、本発明の実施の形態によれば、加熱すすぎを行う時に、あらかじめすすぎ水の温度を加熱洗浄時の温度より高い温度に加熱し、その後洗浄ポンプを動作させて、加熱すすぎを行うので、油分の再付着の固形化を防止することができ、汚れを十分に落とすことができ、食器に対してダメージの無い、最適状態での洗浄ができ、食器洗い機の利便性、信頼性を確実に向上させることができるものである。
【００５０】
また、これらの食器洗い機の制御手段１２で上記運転方法を行うためには、ＣＰＵコンピュータに実行させるためのプログラムを記録したことを特徴とするコンピュータ読み取り可能な独自のプログラムが必要である。本実施の形態で説明した制御手段１２は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５１】
以上のように、本発明にかかる食器洗い機は、油分の汚れをきれいに除去することができ、食器へのダメージや、汚れの再付着がなく効率良く洗浄でき、利便性を向上することができるので、家庭用および業務用の食器洗い機として有用である。
【図面の簡単な説明】
【００５２】
【図１】本発明の実施の形態１の食器洗い機の断面を示す模式図
【図２】同食器洗い機の標準工程の処理手順を示すフローチャート
【図３】同食器洗い機の洗浄・すすぎ工程の処理手順を示すフローチャート
【図４】同食器洗い機の各工程における洗浄水の温度変化を示す図
【図５】本発明の実施の形態２の食器洗い機の洗浄・すすぎ工程の処理手順を示すフローチャート
【図６】同食器洗い機の各工程における洗浄水の温度変化と洗浄ポンプの動作を示す図
【図７】本発明の実施の形態３の食器洗い機の各工程における洗浄水の温度変化と洗浄ポンプの動作を示す図
【符号の説明】
【００５３】
３  洗浄槽
４  洗浄ノズル
５  洗浄ポンプ
６  給水手段
７  排水手段
８  加熱手段
１２  制御手段
【図１】
2009261832.tif 000003
【図２】
2009261832.tif 000004
【図３】
2009261832.tif 000005
【図４】
2009261832.tif 000006
【図５】
2009261832.tif 000007
【図６】
2009261832.tif 000008
【図７】
2009261832.tif 000009